(57)【要約】【課題】効果的に吸音手段により騒音を抑制することができる光走査装置および画像形成装置を提供する。【解決手段】光源から発せられる光の進行方向を偏向するポリゴンスキャナ５３などの偏向手段と、偏向手段から発せられる騒音を吸音するヘルムホルツ吸音器１０２などの吸音手段とを備え、偏向手段で偏向せしめた光によって感光体などの走査対象を光走査する書込装置などの光走査装置において、偏向手段から発せられる風切音１０３などの騒音を、吸音手段に集音させる集音部材１０１などの集音手段を備えた。【選択図】図７
2016099465.tif 000002
【特許請求の範囲】
【請求項１】
光源から発せられる光の進行方向を偏向する偏向手段と、
前記偏向手段から発せられる騒音を吸音する吸音手段とを備え、前記偏向手段で偏向せしめた光によって走査対象を光走査する光走査装置において、
前記偏向手段から発せられる騒音を、前記吸音手段に集音させる集音手段を備えたことを特徴とする光走査装置。
【請求項２】
請求項１に記載の光走査装置において、
前記集音手段は、前記偏向手段から発せられた騒音を、前記吸音手段に向けて反射するように構成したことを特徴とする光走査装置。
【請求項３】
請求項２に記載の光走査装置において、
前記集音手段の少なくとも前記騒音を反射する反射面を金属で構成したことを特徴とする光走査装置。
【請求項４】
請求項２に記載の光走査装置において、
前記集音手段の少なくとも前記騒音を反射する反射面をガラスで構成したことを特徴とする光走査装置。
【請求項５】
請求項１乃至４いずれかに記載の光走査装置において、
前記集音手段をモールド成型部材としたことを特徴とする光走査装置。
【請求項６】
請求項１乃至５いずれかに記載の光走査装置において、
前記集音手段を前記偏向手段の光反射面と対向させたことを特徴とする光走査装置。
【請求項７】
請求項６に記載の光走査装置において、
前記集音手段は、前記偏向手段の偏向鏡を取り囲むように設けられており、
前記集音手段の前記偏向鏡と対向する対向面を曲面としたことを特徴とする光走査装置。
【請求項８】
請求項１乃至７いずれかに記載の光走査装置において、
前記吸音手段は、前記偏向手段から発せられる騒音の周波数と同じ共振周波数で共鳴するための共鳴空間、及び前記共鳴空間の外から中に騒音を導くために前記共鳴空間に連通する共鳴通路を具備する共鳴器であることを特徴とする光走査装置。
【請求項９】
請求項８に記載の光走査装置において、
前記共鳴通路の入口を、外から中に断面積が徐々に減少するような形状としたことを特徴とする光走査装置。
【請求項１０】
請求項８または９に記載の光走査装置において、
前記集音手段は、前記偏向手段から発せられる騒音を、前記共鳴通路の入口中央部に集音することを特徴とする光走査装置。
【請求項１１】
請求項１乃至７いずれかに記載の光走査装置において、
前記吸音手段は、多孔質状の吸音部材であることを特徴とする光走査装置。
【請求項１２】
請求項１乃至１１いずれかに記載の光走査装置において、
吸音可能な周波数が互いに異なる複数の吸音手段を設け、
前記集音手段は、前記偏向手段の駆動状態に応じて、前記偏向手段から発せられる騒音を複数の吸音手段のいずれか１つに選択的に集音することを特徴とする光走査装置。
【請求項１３】
請求項１２に記載の光走査装置において、
前記偏向手段を収納する筐体と、
前記偏向手段の上方にあり、前記偏向手段から発した熱を逃がす開口部を有し、前記偏向手段を覆うカバー部材とを備え、
前記集音手段は、前記開口部に設けられ、上下方向に対して傾斜した板状部材を有し、前記偏向手段の駆動状態に応じて、前記板状部材の傾斜角度を変更することにより、前記偏向手段の騒音を集音させる吸音手段を変更することを特徴とする光走査装置。
【請求項１４】
請求項１３に記載の光走査装置において、
前記開口部に防塵部材を設けたことを特徴とする光走査装置。
【請求項１５】
請求項１３または１４に記載の光走査装置において、
前記板状部材を複数設け、前記騒音が集音している吸音手段側の板状部材のほど、寝かせたことを特徴とする光走査装置。
【請求項１６】
請求項１３乃至１５いずれかに記載の光走査装置において、
前記板状部材を、前記カバー部材よりも音の反射率の高い材質で構成したことを特徴とする光走査装置。
【請求項１７】
請求項１３乃至１６いずれかに記載の光走査装置において、
前記集音手段は、前記偏向手段を取り囲むように設けられ、前記偏向手段から発せられる騒音を前記開口部に向けて反射する壁状部材を有することを特徴とする光走査装置。
【請求項１８】
感光体と、光走査によって前記感光体に潜像を形成する光走査手段と、前記潜像を現像する現像手段とを備える画像形成装置において、
前記光走査手段として、請求項１乃至１７いずれかに記載の光走査装置を用いたことを特徴とする画像形成装置。
【発明の詳細な説明】
【技術分野】
【０００１】
本発明は、光走査装置および画像形成装置に関するものである。
【背景技術】
【０００２】
複写機、プリンタ、ファクシミリ等の画像形成装置の中には、光走査装置により潜像担持体上に画像情報に応じた書込光を偏向走査することにより潜像担持体上に潜像を形成し、この潜像を現像して画像を得るものが知られている。上記光走査装置は、光源部、および光源部からの書込光を偏向走査する正六角柱状の回転多面鏡を備えた偏向手段を備えている。偏向手段は、駆動源たる駆動モーターによって回転させた正六角柱状の多面鏡により、レーザー光源から発せられるレーザー光の進行方向を偏向する。
【０００３】
特許文献１には、回転する多面鏡の風切音の周波数と同じ共振周波数で共鳴させて吸音する吸音手段たる共鳴箱を設け、上記風切音による騒音の発生を抑えている。共鳴箱は、ある程度の容積を持った共鳴空間部と、この共鳴空間部と外部とを連通する共鳴通路とによって構成され、共鳴通路の開口を偏向手段に向けて、共鳴箱が配置されている。偏向手段の騒音が共鳴通路を通って、共鳴空間部に入射することにより、共鳴空間部で共鳴させて騒音が吸音される。
【発明の概要】
【発明が解決しようとする課題】
【０００４】
しかしながら、風切音などの偏向手段の騒音は、一方向だけでなく、偏向手段から放射状に空気を振動させて伝わっていく。そのため、特許文献１に記載の光走査装置においては、偏向手段の騒音の一部しか吸音手段たる共鳴箱に入射せず、騒音の抑制効果が低いという課題があった。
【課題を解決するための手段】
【０００５】
上述した課題を解決するために、請求項１の発明は、光源から発せられる光の進行方向を偏向する偏向手段と、前記偏向手段から発せられる騒音を吸音する吸音手段とを備え、前記偏向手段で偏向せしめた光によって走査対象を光走査する光走査装置において、前記偏向手段から発せられる騒音を、前記吸音手段に集音させる集音手段を備えたことを特徴とするものである。
【発明の効果】
【０００６】
本発明によれば、効果的に吸音手段により騒音を抑制することができる。
【図面の簡単な説明】
【０００７】
【図１】本実施形態に係る画像形成装置としてのプリンタを示す模式図。
【図２】第一の書込装置の周辺を示す斜視図。
【図３】図２のＡ−Ａ断面図。
【図４】第一の書込装置の光学ハウジングに収納された光学部品を示す斜視図。
【図５】同書込装置のポリゴンスキャナ付近を示す概略図。
【図６】同書込装置のカバー部材のポリゴンスキャナと対向する部分を示す概略図。
【図７】同書込装置のポリゴンミラー周辺の断面図。
【図８】ヘルムホルツ吸音器の笛音様騒音について説明する図。
【図９】本実施形態のヘルムホルツ吸音器について説明する図。
【図１０】集音部材により風切音が集音する位置を、ヘルムホルツ吸音器の共鳴通路の入口中央部にした例について示す図。
【図１１】変形例の書込装置の概略構成図。
【図１２】変形例の書込装置が搭載される画像形成装置を示す図。
【図１３】従来の対向走査方式の書込装置におけるポリゴンスキャナ周囲の拡大図。
【図１４】変形例の書込装置におけるポリゴンスキャナ周囲の拡大図。
【図１５】第二吸音材に騒音を集音させる様子を示す図。
【図１６】傾斜角度変更機構の一例を示す図。
【図１７】傾斜角度変更機構の他の例を示す図。
【図１８】各板状部材に板ガラスを貼り付けた例を示す図。
【図１９】風切音を吸音する変形例の書込装置におけるポリゴンスキャナ周囲の拡大図。
【発明を実施するための形態】
【０００８】
以下、本発明を、電子写真方式の画像形成装置である複写機に適用した一実施形態について説明する。
【０００９】
図１は、本実施形態に係る画像形成装置としてのプリンタ１０を示す模式図である。
このプリンタ１０は、主に、イエロー（以下「Ｙ」と記載し、イエロー用の部材の符号には色別符号として「Ｙ」を付す。シアン、マゼンタ、ブラックについても同様。）用の作像部４Ｙ、Ｍ（マゼンタ）用の作像部４Ｍ、Ｃ（シアン）用の作像部４Ｃ、ＢＫ（ブラック）用の作像部４ＢＫの４つの作像部と、中間転写材である中間転写ベルト１とを有している。また、作像部４Ｙ，Ｍ，Ｃ，ＢＫの上には、第一の書込装置５ａ、第二の書込装置５ｂの一部が重なるようにして横並びに配置されている。
【００１０】
各書込装置５ａ，５ｂは、パーソナルコンピュータ、ワードプロセッサ等から入力される色分解された画像データを、光源駆動用の信号に変換し、それに従い各レーザ光源ユニット内の半導体レーザを駆動して光ビームを出射するようになっている。
【００１１】
各作像部４Ｙ，４Ｍ，４Ｃ，４ＢＫは、それぞれ、回転駆動される感光体４１Ｙ，４１Ｍ，４１Ｃ，４１ＢＫを備えている。また、それぞれの感光体４１Ｙ，４１Ｍ，４１Ｃ，４１ＢＫの周囲には、帯電部４２Ｙ，４２Ｍ，４２Ｃ，４２ＢＫ、現像部４３Ｙ，４３Ｍ，４３Ｃ，４３ＢＫ、クリーニング部４４Ｙ，４４Ｍ，４４Ｃ，４４ＢＫ等が配設されている。感光体４１Ｙ，４１Ｃ，４１Ｍ，４１ＢＫは、円筒状に形成された感光体ドラムであり、図示しない駆動源により回転駆動される。各帯電部４２Ｙ，４２Ｍ，４２Ｃ，４２ＢＫは、それぞれ対応する感光体４１Ｙ，４１Ｍ，４１Ｃ，４１ＢＫの表面を所定電位となるように一様帯電するものである。本実施形態の帯電部４２Ｙ，４２Ｍ，４２Ｃ，４２ＢＫは、帯電ローラ等の帯電部材を感光体４１Ｙ，４１Ｍ，４１Ｃ，４１ＢＫの表面に接触又は近接させて帯電処理する接触帯電方式のものを採用しているが、これに限られない。
【００１２】
第一の書込装置５ａから出射された光ビームが帯電部４２Ｂｋ，４２Ｃにより一様帯電された感光体４１Ｂｋ，４１Ｃの表面にスポット照射されることにより、感光体４１Ｂｋ，４１Ｃ表面にはそれぞれの画像情報に応じた静電潜像が書き込まれる。また、第二の書込装置５ｂから出射された光ビームが帯電部４２Ｍ，４２Ｙにより一様帯電された感光体４１Ｍ，４１Ｙの表面にスポット照射されることにより、感光体４１Ｍ，４１Ｙ表面にはそれぞれの画像情報に応じた静電潜像が書き込まれる。
【００１３】
各現像部４３Ｙ，４３Ｍ，４３Ｃ，４３ＢＫは、感光体４１Ｙ，４１Ｍ，４１Ｃ，４１ＢＫ上の静電潜像にトナーを付着させることにより、その静電潜像をトナー像として顕像化させるものである。本実施形態では、感光体４１Ｙ，４１Ｍ，４１Ｃ，４１ＢＫに対して非接触状態でトナーを供給する非接触現像方式のものが採用されている。各クリーニング部４４Ｙ，４４Ｍ，４４Ｃ，４４ＢＫは、感光体４１Ｙ，４１Ｍ，４１Ｃ，４１ＢＫの表面に付着している転写残トナー等の不要物を除去するもので、感光体表面にブラシを接触させてクリーニングするブラシ接触方式のものが採用されている。
【００１４】
作像部４Ｙ，４Ｍ，４Ｃ，４ＢＫの鉛直方向下方には、無端状の中間転写ベルト１を張架しながら図中反時計回り方向に無端移動せしめる転写ユニット１２が配設されている。転写手段たる転写ユニット１２は、中間転写ベルト１の他に、テンションローラ２、２次転写対向ローラ３、４つの１次転写ローラ６Ｙ，６Ｍ，６Ｃ，６ＢＫ、２次転写ローラ７、不図示のベルトクリーニング装置などを備えている。
【００１５】
転写ユニット１２の鉛直方向下方には、シートを複数枚重ねた紙束の状態で収容している給紙カセット１３が配設されている。この給紙カセット１３は、シート束の一番上のシートに給紙ローラ１３ａを当接させており、これを所定のタイミングで図中反時計回り方向に回転させることで、そのシートを送り出す。
【００１６】
各感光体４１Ｙ，４１Ｍ，４１Ｃ，４１ＢＫ上に形成された各色トナー像が、各一次転写ローラ６Ｙ，６Ｍ，６Ｃ，６ＢＫによって、順次中間転写ベルト１に互いに重なり合うように転写される。このように重なった中間転写ベルト１上の画像は、２次転写ローラ７によってシートに転写される。
画像が転写されたシートは、その後に定着器１４に搬送され、熱と圧力によって画像がシートに定着される。その後、シートは、排紙ローラ対１５により排紙カバー１６へ排出される。
【００１７】
次に、書込装置５ａ，５ｂについて説明する。第一，第二の書込装置５ａ，５ｂは、排紙カバー１６の傾斜に略平行に対向するように傾いて設置されていて、両者がプリンタ１０の排紙側から見て一部重なるように配置されている。もちろん略平行でなかったり、重なりがなかったりしても問題ないが、重なる部分をもつことでプリンタ１０を小型化することができる。
【００１８】
第一の書込装置５ａ、第二の書込装置５ｂの構成は、同じであるので、以下の説明では、第一の書込装置５ａについて説明する。
図２は、第一の書込装置５ａの周辺を示す斜視図であり、図３は、図２のＡ-Ａ断面図である。また、図４は、第一の書込装置５ａの光学ハウジング５００に収納された光学部品を示す斜視図である。
【００１９】
第一の書込装置５ａは、ＢＫ色の感光体４１ＢＫとＣ色の感光体４１Ｃとに走査光線Ｌを照射するものである。図２、図３に示すように、ＬＤユニット１００、ポリゴンスキャナ５３、走査レンズ（ｆθレンズ）５４、反射ミラー５５Ｃ，５５ＢＫ，５６ＢＫ、長尺レンズ５７ＢＫ，５７Ｃなどを有し、これらが光学ハウジング５００に収納されている。光学ハウジング５００は、上面が開放した箱型の形状であり、上面が上カバー５０３で覆われていて、書込装置内への塵芥の侵入を防いでいる。ＬＤユニット１００、ポリゴンスキャナ５３は、光学ハウジング５００の一端側に収納されている。光学ハウジング５００は、ガラス繊維を含有した熱可塑性樹脂で構成され、底面および底面の４辺に設けられた側面とが一体成形されている。
【００２０】
図４に示すように、ＬＤユニット１００は、感光体４１ＢＫに走査光線ＬＢｋを照射するための半導体レーザからなるＢＫ用の光源５２ＢＫ、感光体４１Ｃに走査光線Ｌｃを照射するための半導体レーザからなるＣ用の光源５２Ｃを備えている。ＬＤユニット１００は、光源５２ＢＫから出射された光束とＣ色用の光源５２Ｃから出射された光束とがポリゴンミラー５３ａの同じ位置に照射するようにＢＫ色用光源５２ＢＫ及びＣ色用光源５２Ｃを保持している。また、ＬＤユニット１００は、Ｂｋ色用のコリメートレンズ５１Ｂｋ、Ｃ色用のコリメートレンズ、Ｂｋ色用のシリンドリカルレンズ５９Ｂｋ、Ｃ色用のシリンドリカルレンズ５９Ｃも保持している。
【００２１】
偏向手段としてのポリゴンスキャナ５３は、正多角柱形状からなる回転多面鏡たるポリゴンミラー５３ａと、駆動源たるポリゴンモータと、ポリゴンモータの駆動を制御するための電子部品を搭載した回路基板５３ｂとで構成されている。ポリゴンスキャナ５３は、光学ハウジング５００の底面の一端部にネジによって締結されている。ポリゴンミラー５３ａは、その６つの側面に反射鏡を有している。本実施形態においては、ポリゴンミラー５３ａを正六角柱形状として、側面に６つの反射鏡を有しているが、これに限定されるものではない。
【００２２】
ＢＫ色用の光源５２ＢＫから出射された光束は、コリメートレンズ５１Ｂｋにより、発散光束が平行光束に変換された後、シリンドリカルレンズ５９Ｂｋを透過する。このとき、副走査方向（感光体表面上における感光体表面移動方向に相当する方向）に集光せしめられる。シリンドリカルレンズ５９Ｂｋを透過した光束は、ポリゴンミラー５３ａに入射する。ポリゴンミラー５３ａに入射した光束は、ポリゴンミラー５３ａの反射鏡に反射しながら主走査方向（感光体表面上における軸線方向に相当する方向）に偏向せしめられる。次に、ポリゴンミラー５３ａによって一定の角速度で主走査方向に偏向せしめられる光束の偏向方向の移動速度を等速に変換する走査レンズ５４、図３に示すように、第一反射ミラー５５ＢＫ、第二反射ミラー５６ＢＫを順次経由する。そして、長尺レンズ５７ＢＫによりポリゴンミラーの面倒れが補正された後、光学ハウジング５００の底面に形成された防塵ガラス５８ＢＫを透過して感光体４１ＢＫの表面を光走査する。
【００２３】
また、Ｃ色用の光源５２Ｃから出射された光束は、同様にコリメートレンズ５１Ｃやシリンドリカルレンズ５９Ｃを通過して、ポリゴンミラー５３ａのＫ色の光束と、同一の位置に入射する。そして、ポリゴンミラー５３ａの反射鏡に反射しながら主走査方向に偏向せしめられ、走査レンズ５４、第一反射ミラー５５Ｃ、長尺レンズ５７Ｃ，防塵ガラス５８Ｃを透過して感光体４１Ｃの表面を光走査する。本実施形態においては、１枚の走査レンズ５４を使用する構成であるが、ＢＫ色用、Ｃ色用それぞれの走査レンズを有する構成でもよい。また、走査レンズ５４として、副走査方向にパワーを持つ走査レンズを用いて、長尺レンズ５７ＢＫ，５７Ｃを無くしてもよい。
【００２４】
次に、本実施形態の特徴点について説明する。
近年、画像形成装置に高速化、生産性の向上が求められるようになり、自然ポリゴンスキャナ５３でも高速回転化が進んでいる。ポリゴンスキャナ５３の回転数が大きくなると、ポリゴンスキャナ５３の騒音が大きくなり、これが耳障りな音として認識されることがある。
【００２５】
ポリゴンスキャナ５３の騒音としては、ポリゴンスキャナ５３が回転することによりポリゴンスキャナ周りに気流が発生し、ポリゴンミラー５３ａの角部で気流を切ることにより発生する風切音が上げられる。
【００２６】
特許文献１には、回転するポリゴンミラー５３ａの風切り音の周波数と同じ共振周波数で共鳴する共鳴箱を、偏向手段などを保持するハウジングに一体に設けている。しかし、風切音は、ポリゴンミラー反射鏡と垂直な方向（回転軸の円周方向）に放射状に広がっていくため、共鳴箱には、風切音の一部しか入射せず、共鳴箱による十分な吸音効果が得られない。このため、特許文献１では、ポリゴンスキャナ５３の周囲を２重壁にして、共鳴箱に入射しない風切音を、２つの壁で２段階で風切音を減衰する実施例も記載されている。しかし、このように、ポリゴンスキャナの周囲を２重壁で囲った場合、以下の問題が生じる。
【００２７】
ポリゴンスキャナ５３は、高速で回転するためポリゴンモータの軸受部が発熱する。また、ポリゴンスキャナの回路基板５３ｂの電子部品も発熱する。その結果、ポリゴンスキャナの周囲が温度上昇する。ポリゴンスキャナの周囲を２重壁で囲った場合、壁と壁との間の空気が断熱材の働きをして、ポリゴンスキャナから発生した熱が、逃げず、２重壁の内部で篭ってしまう。その結果、ポリゴンスキャナの壁で囲われたポリゴンスキャナ格納空間が高温となり、ポリゴンスキャナの電子部品などが定格温度以上となり、ポリゴンスキャナが故障するおそれがあるという問題である。また、特許文献２には、ポリゴンスキャナを囲むように設けた防音壁のポリゴンスキャナと対向する面に多孔質吸音材を設けた光走査装置が記載されている。しかしながら、多孔質吸音材においても、中に空気層を有しており、断熱効果が高い。よって、特許文献２に記載の光走査装置においても、ポリゴンスキャナから発生した熱が逃げず、防音壁で囲われた空間が高温となるという問題が発生する。
【００２８】
本実施形態では、集音手段により風切音などのポリゴンスキャナの騒音を吸音手段に集音することにより、ポリゴンスキャナを囲むように吸音手段を設けずとも、良好にポリゴンスキャナの騒音を抑制できるようにした。以下、図面を用いて具体的に説明する。
【００２９】
図５は、本実施形態におけるポリゴンスキャナ５３付近を示す概略図であり、図６は、上カバー５０３のポリゴンスキャナ５３と対向する部分を示す概略図である。図６（ａ）は、上カバー５０３のポリゴンスキャナ５３と対向する部分の平面図であり、（ｂ）は、図６（ａ）のＡ−Ａ断面図である。
図６に示すように、上カバー５０３のポリゴンスキャナ５３と対向する部分には、吸音手段としてのヘルムホルツ吸音器１０２が設けられている。
ヘルムホルツ吸音器１０２は、内容量（Ｖ）の共鳴空間１０２ａと、その共鳴空間１０２ａを外部空間と連通させるための長さ（Ｌ）、断面積（Ｓ）の共鳴通路１０２ｂとを具備している。このヘルムホルツ吸音器１０２の共鳴周波数ｆは、「ｆ＝（ｃ／２π）・（Ｓ／Ｖ・（Ｌ＋δ））１／２」という式によって表される。Ｖは共鳴空間１０２ａの内容量、Ｌは共鳴通路１０２ｂの長さ、Ｓは共鳴通路１０２ｂの断面積、ｃは音速、δは開口端補正値である。開口端補正値δは、共鳴通路の入口近傍での共鳴の影響を補正するものであり、一般的には０．５前後を利用する。
【００３０】
本実施形態では、共鳴周波数ｆを、風切音の周波数としている。
風切音の周波数は、ポリゴンミラー５３ａの一面周波数であり、「（ポリゴンミラーの回転数［ｒｐｍ］／６０）×面数」で求めることができる。例えば、６面のポリゴンミラー５３ａの回転数が３５,０００ｒｐｍであれば、風切音の周波数は３５００Ｈｚとなる。また、６面のポリゴンミラー５３ａの回転数が、２０,０００ｒｐｍであれば、風切音の周波数は２０００Ｈｚとなる。従って、６面のポリゴンミラー５３ａの回転数が３５,０００ｒｐｍの装置であれば、ヘルムホルツ吸音器１０２の共鳴周波数ｆが３５００Ｈｚとなるように構成する。一方、６面のポリゴンミラーの回転数が、２０,０００ｒｐｍの装置であれば、共鳴周波数ｆが２０００Ｈｚとなるように構成する。
【００３１】
このヘルムホルツ吸音器１０２は、樹脂の射出成型などにより、上カバー５０３と一体で形成されるものである。吸音手段をヘルムホルツ吸音器１０２とすることにより、樹脂の射出成型により上カバー５０３と一体成型することができる。これにより、吸音手段として、多孔質吸音部材を用いた場合に比べて、部品点数を減らすことができ、装置のコストダウンを図ることができる。また、吸音部材を取り付けるなどの工程が不要となり、製造コストの削減を図ることができる。
【００３２】
図５に示すように、ポリゴンスキャナ５３には、ポリゴンミラー５３ａを囲うように、集音手段たる集音部材１０１が設けられている。集音部材１０１は、ヘルムホルツ吸音器１０２に向ってその直径が徐々に広がる円錐台形状の部分を有しており、この円錐台形状の内周面が、風切音を反射する反射面１０１ｂとなっている。また、集音部材１０１の光束が通過する箇所については切り欠き１０１ａを有している。また、円錐台形状の中心は、ポリゴンミラー５３ａの回転中心と一致させている。
【００３３】
集音部材１０１は、音の反射率の高い金属で構成されている。本実施形態においては、集音部材１０１として、金属を用いているが、音の反射率の高い部材であればよい。音の反射率は、物体の密度が高いほど向上するため、密度の高い部材を用いることで、集音部材１０１を透過する音を低減し、多くの音を反射することができる。集音部材１０１として金属を用いることで、プラスチックを用いた場合に比べて、音の反射率を高めることができる。また、プラスチックよりも密度が高く、音の反射率が高い部材としては、ガラスなどが上げられる。集音部材１０１をガラスで構成することで、光束を透過させることができ、光束が通過するための切り欠きが不要となる。これにより、光源５２から出射された光束の光路と平行に進んできた風切音も、集音部材１０１で反射することができる。また、集音部材１０１の切り欠き１０１ａにガラスをはめ込んでもよい。この場合、ガラスのポリゴンミラー５３ａと対向する対向面を、集音部材１０１の内周面に沿うようにし、ガラスで反射した風切音もヘルムホルツ吸音器１０２に向うようにする。
【００３４】
図７は、書込装置のポリゴンミラー５３ａ周辺の断面図である。
図７に示すように、ポリゴンミラー５３ａの下端が、集音部材１０１の反射面１０１ｂの下端より上方に位置するように設定されている。具体的には、回路基板５３ｂからポリゴンミラー５３ａの下端までの高さをａ、回路基板５３ｂから反射面１０１ｂまでの高さをｂとすると、ａ＞ｂとなるように設定されている。これにより、集音部材１０１の反射面１０１ｂが、ポリゴンミラー５３ａの反射鏡と対向する。
【００３５】
ポリゴンミラー５３ａが高速回転すると、ポリゴンスキャナ５３の周りに気流が発生し、ポリゴンミラー５３ａの角部で気流を切ることにより風切音１０３が発生する。風切音１０３は、ポリゴンミラー５３ａの反射鏡と垂直な方向（回転軸の円周方向）に伝播する。上述したように、本実施形態では、ポリゴンミラー５３ａの下端が、集音部材１０１の反射面１０１ｂの下端より上方に位置するように設定し、反射面１０１ｂを、ポリゴンミラー５３ａの反射鏡と対向させている。よって、これら風切音１０３のほとんどは、集音部材１０１の反射面１０１ｂにより反射される。反射された風切音１０３は、ヘルムホルツ吸音器１０２に入り、吸音されることで風切音１０３は抑制される。
【００３６】
このように、本実施形態においては、ポリゴンミラー５３ａから放射状に伝播する風切音１０３を集音部材１０１で反射してヘルムホルツ吸音器１０２に集音する。これにより、発生した風切音１０３のほとんどをヘルムホルツ吸音器１０２で吸音することができ、効果的に風切音１０３を抑制することができる。
【００３７】
また、ポリゴンミラー５３ａを囲むように設けられた集音部材１０１は、金属であり、熱伝導の高い部材である。従って、ポリゴンスキャナ５３の熱が、集音部材１０１に伝わり、集音部材１０１により放熱することができる。これにより、回路基板５３ｂの電子部品などが定格温度以上となるのを抑制することができ、ポリゴンスキャナ５３が故障するなどの不具合が発生するのを抑制することができる。
【００３８】
また、本実施形態では、吸音手段たるヘルムホルツ吸音器１０２を、ポリゴンミラー５３ａの上方に一つ設けるだけで、ポリゴンミラー５３ａから放射状に伝播する風切音のほとんどを吸音することができる。これにより、ポリゴンミラーを囲うように吸音手段を設けた特許文献２に記載の光走査装置に比べて、装置のコストダウンを図ることができる。
【００３９】
また、集音部材１０１のポリゴンミラー５３ａと対向する部分を、円錐台形状にして、ポリゴンミラー５３ａと対向する対向面である反射面１０１ｂを曲面としている。これにより、ポリゴンミラー５３ａの回転によって発生した気流が乱流になるような角部が、ポリゴンミラー５３ａの周囲にないため、乱流によって発生する笛音などの２次的騒音が発生するのを抑制することができる。
【００４０】
また、ヘルムホルツ吸音器１０２を設けた場合に、笛音のような笛音様騒音を発生させてしまうおそれがあった。
【００４１】
図８は、ヘルムホルツ吸音器１０２の笛音様騒音について説明する図である。
ポリゴンミラー５３ａの回転に伴って発生する気流は、ポリゴンミラー５３ａの反射鏡により押し出されることにより発生しており、風切音１０３と同様、ポリゴンミラー５３ａの反射鏡と垂直な方向（回転軸の円周方向）に進む。このため、ポリゴンミラー５３ａの回転により発生した気流は、集音部材１０１の反射面１０１ｂにより風切音と同じ方向に偏向され、ヘルムホルツ吸音器１０２へと導かれる。その際、図８（ａ）、（ｂ）に示すように、気流１０４は、共鳴通路１０２ｂの内周面に対して斜めから共鳴通路１０２ｂへ流入する。ヘルムホルツ吸音器１０２の共鳴通路１０２ｂの入口１０６が角形状であると、入口１０６の縁部付近で渦が発生し、入口１０６の縁部付近で負圧が発生してそこから音が発生してしまうおそれがある。
【００４２】
このため、図９に示すように、共鳴通路１０２ｂの入口１０６をＲ形状として、外から中に断面積が徐々に減少するような形状とした。これにより、図９（ｂ）に示すように、共鳴通路１０２ｂの入口縁部が、共鳴通路１０２ｂに流入する気流１０４に沿うような形状となる。その結果、入口１０６の縁部付近で渦が発生するのを抑制することができる。これにより、笛音様騒音が発生するのを抑制することができる。本実施形態では、共鳴通路１０２ｂの入口をＲ形状としているが、断面積が徐々に減少するような円錐台形状としてもよい。このような形状でも、共鳴通路１０２ｂの入口縁部を、共鳴通路１０２ｂに流入する気流１０４に沿うような形状でできる。
【００４３】
また、図１０に示すように、集音部材１０１により風切音１０３が集音する位置を、ヘルムホルツ吸音器１０２の共鳴通路１０２ｂの入口１０６中央部にするのが好ましい。これにより、集音部材１０１により反射した風切音１０３の多くを、ヘルムホルツ吸音器１０２内に導くことができ、消音効果を高めることができる。
【００４４】
また、本実施形態においては、吸音手段として、ヘルムホルツ吸音器１０２を用いたが、吸音手段として、ガラスウール、ロックウールなどの多孔質吸音部材を用いてもよい。
【００４５】
次に、変形例について説明する。
［変形例］
図１１は、変形例の書込装置の概略構成図である。
この変形例の書込装置は、ポリゴンスキャナが書込装置の中央に配置された対向走査方式の書込装置である。
この変形例の書込装置は、例えば、図１２に示すような画像形成装置に搭載されていて、ひとつの書込装置で４つの感光体４１Ｙ,４１Ｍ,４１Ｃ,４１Ｂｋに潜像画像を書き込むことができる。
【００４６】
図１１に示す書込装置は、光学ハウジング５００の中央部にポリゴンスキャナ５３が配置されている。Ｙ色、Ｍ色に対応するレーザ光ＬＹ,ＬＭがポリゴンスキャナ５３により、図中右側に偏向走査される。Ｂｋ色、Ｃ色に対応するレーザ光ＬＢｋ,ＬＣがポリゴンスキャナ５３により、図中左側に偏向走査される。各レーザー光は、走査レンズ（ｆθレンズ）５４Ａ,５４Ｂ、感光体へとレーザー光を導く反射ミラー５５Ｙ,５５Ｍ,５５Ｃ,５５Ｂｋ,５６Ｍ,５６Ｃ、長尺レンズ５７Ｙ,５７Ｍ,５７Ｃ，５７Ｂｋ、防塵ガラス５８Ｙ,５８Ｍ,５８Ｃ,５８Ｂｋを通過して、感光体４１Ｙ,４１Ｍ,４１Ｃ,４１Ｂｋに照射される。また、この変形例１の書込装置５も、上記光学素子が配置される光学ハウジング５００を密閉するための上カバー５０３を有している。
【００４７】
図１３は、従来の対向走査方式の書込装置におけるポリゴンスキャナ５３周囲の拡大図である。
書込装置内のポリゴンスキャナ５３は、上述したように回転時に発熱する。その熱がポリゴンミラー５３ａの回転に伴い気流により、熱風となってポリゴンミラー５３ａの反射鏡と垂直な方向（回転軸の円周方向）に放射される。その熱風がポリゴンスキャナ５３の近傍に配置される走査レンズ５４Ａ,５４Ｂに当たり、走査レンズ５４Ａ,５４Ｂが加熱され、走査レンズ５４Ａ,５４Ｂが温度上昇する。熱風により走査レンズが温度上昇してしまうと、主走査倍率といった光学特性が悪化してしまう。そのため、ポリゴンの横に防音ガラス５０５を設置し、光学ハウジング５００にポリゴンスキャナ５３を囲うように防音壁を設け、ポリゴンスキャナ５３を防音ガラスと防音壁とで取り囲んでいる。上カバー５０３は、ポリゴンスキャナ５３と対向する箇所が開口しており、その開口縁には、下方へ延設し、防音壁の上部および防音ガラス５０５の上部に接触する上壁部５０３ａを有している。この上カバー５０３の開口には、ポリゴンスキャナ５３を覆うように、ポリゴンカバー５０４が取り付けられている。これにより、光学ハウジング５００のポリゴンスキャナ格納空間が、防音壁、防音ガラス５０５、上カバー５０３、ポリゴンカバー５０４により密閉された密閉空間となる。ポリゴンカバー５０４は、熱伝導性のよい板金が好ましい。ポリゴンカバー５０４を板金で構成することで、ポリゴンスキャナから発した熱を、書込装置の外側へ効率よく放熱することができる。また、図１３に示す例では、ポリゴンカバー５０４と上カバー５０３とを有しているが、ポリゴンカバー５０４を設けずに、上カバー５０３のみでポリゴンスキャナ５３を覆ってもよい。
【００４８】
このように、ポリゴンスキャナ５３が格納された空間を密閉空間とすることで、走査レンズ５４Ａ,５４Ｂに熱風が届かないようにすることができる。これにより、走査レンズ５４Ａ,５４Ｂへの熱風対策を講じれ、かつ、ポリゴンスキャナ５３から発生する騒音をこの密閉空間で閉じ込めることができ、騒音を抑制することができる。また、外部からの埃、トナーなどの進入を抑制でき、ポリゴンミラー曇りの対策となる。
【００４９】
ポリゴンスキャナの回転数は、ポリゴンミラー５３ａの内接円半径にもよるが、通常、２０，０００ｒｐｍ〜４０，０００ｒｐｍの領域にて使用することが多い。また、内接円半径が小さい場合は、４０，０００ｒｐｍ〜５０，０００ｒｐｍの領域を使用することもある。
【００５０】
近年の画像形成装置の印刷速度の上昇や、画素密度の向上要求により、ポリゴンスキャナ５３の回転数は上昇傾向にあり、ポリゴンスキャナ５３の発熱量が増えていっている。また、小型化等の仕様により、ポリゴンスキャナ５３を格納している密閉空間の体積も狭くなってきている。その結果、ポリゴンスキャナ５３が回転すると、その密閉空間の温度が非常に高くなってしまい、ポリゴンスキャナ５３の軸受温度や回路基板５３ｂ上の電子部品が規定値を超えてしまいポリゴンスキャナ５３の寿命を縮めてしまうおそれがあった。また、ポリゴンカバー５０４から外部へ放熱しきれない熱がポリゴンスキャナ５３を囲う防音ガラス５０５から走査レンズ５４Ａ,５４Ｂに伝わってしまい、光学特性の劣化が起こるおそれもある。
【００５１】
これを解消するには、密閉空間のどこかを開放することが考えられるが、ポリゴンスキャナの騒音がもれてしまうことや、密閉空間の防塵性が保たれなくなってしまう。このことから、ポリゴンスキャナ５３の放熱と騒音、防塵の３つを両立させることは書込装置にとって重要な課題となっている。この変形例の書込装置は、放熱と騒音、防塵の３つを両立させることができるものである。以下に、図面を用いて具体的に説明する。
【００５２】
図１４は、変形例の書込装置におけるポリゴンスキャナ５３周囲の拡大図である。
図１４に示すように、この変形例の書込装置は、ポリゴンスキャナ５３の上方のポリゴンカバー５０４に、ポリゴンスキャナ５３の熱を放出するための一つ以上の開口が設けられている。この開口には、外部からの埃などの進入を抑制するために、図中紙面と直交する方向に延びる複数の板状部材５１０ａからなるルーバー部５１０が設けられている。ルーバー部５１０の各板状部材５１０ａは、所定範囲で回動可能にポリゴンカバー５０４に取り付けられている。また、上カバー５０３の開口に板状部材５１０ａを取り付け、上カバー５０３に直接ルーバー部を形成して、ポリゴンカバー５０４を無くしてもよい。しかし、上カバーとは別に、ポリゴンカバー５０４を設けることで、ポリゴンスキャナ５３を交換する際に、ポリゴンカバー５０４のみを取り外すことで、交換できる。これにより、光学ハウジング内の走査レンズ５４Ａなどが配置された空間が開放されることなく、ポリゴンスキャナ５３を交換することができ、走査レンズなどに塵や埃が付着するのを抑制することができ、好ましい。
【００５３】
また、ポリゴンカバー５０４の開口には、防塵部材５０６が設けられており、開口からポリゴンスキャナ５３格納空間への塵埃の進入を防いでいる。防塵部材５０６としては、防塵しつつ、熱を容易に通すものがよく、ＰＥＴ性の薄いフィルムや防塵フィルターなどを用いることができる。
【００５４】
上カバー５０３の外面には、吸音手段としての吸音材１１２Ａ,１１２Ｂが配置されている。第一吸音材１１２Ａは、ルーバー部５１０に対して図中左側に配置され、第二吸音材１１２Ｂは、ルーバー部５１０に対して図中右側に配置されている。第一吸音材１１２Ａが良好に吸音できる吸音周波数帯と、第二吸音材１１２Ｂが良好に吸音できる吸音周波数帯とが互いに異なっている。吸音材としては、ガラスウールやロックウールなどの多孔質材を用いることができる。また、ヘルムホルツ吸音器を用いてもよい。
【００５５】
この変形例の書込装置が搭載される画像形成装置は、シートの種類に応じて画像形成速度を変更している。例えば、厚紙のときは、普通紙のときに比べて画像形成速度を遅くして画像形成を行っている。この変形例の書込装置においては、画像形成装置の画像形成速度に応じて、ポリゴンミラー５３ａの回転数を変更している。ポリゴンミラー５３ａの回転数が異なると、ポリゴンスキャナ５３から発生する騒音の周波数が変わってしまう。吸音材は、種類に応じて、音を良好に吸音できる吸音周波数帯が異なる。そのため、ひとつの吸音材によりポリゴンスキャナ５３の騒音を抑制する場合、ポリゴンミラー５３ａの回転数が変更されると吸音効果が落ちてしまうおそれがある。そのため、この変形例では、互いに吸音周波数帯が異なる２つの吸音材を設けている。
【００５６】
ルーバー部５１０の各板状部材５１０ａの傾斜角度は、ポリゴンスキャナ５３からの騒音を反射して、反射した騒音が、吸音材に向うように設定されている。また、ポリゴンミラー５３ａの回転数に応じて、反射した騒音が、第一吸音材１１２Ａおよび第二吸音材１１２Ｂのいずれか一方に向かうように傾斜角度が変更されるようになっている。
【００５７】
ポリゴンスキャナ５３の騒音は、ポリゴンミラー５３ａの一面周波数である風切音の他に、ポリゴンミラー５３ａの一回転周波数の騒音がある。この一回転周波数の騒音は、例えば、ポリゴンミラー５３ａが高速で回転することで振動しその振動が空気を振動させて音となる振動音などである。また、ポリゴンスキャナ５３の騒音には、上記風切音や、一回転周波数の騒音の他にポリゴンモータから発生する高周波騒音もある。これらポリゴンスキャナの騒音は、ポリゴンスキャナから直接上方のポリゴンカバーの開口に向ってくるもの、防音壁や防音ガラス５０５を反射して開口に向ってくるものがある。これらポリゴンカバー５０４の開口に向う騒音の主成分は、ポリゴンスキャナ５３から直接上方に上がってくる成分であり、これは、主に、一回転周波数の騒音である。従って、吸音材として、上記一回転周波数の騒音を良好に吸音できる吸着材を用いるのが好ましい。一回転周波数は、「ポリゴンミラーの回転数（ｒｐｍ）／６０」で算出することができる。例えば、ポリゴンミラー５３ａが画像形成速度に応じて、３５，０００ｒｐｍと２０，０００ｒｐｍのいずれかで回転する装置においては、ポリゴンミラー５３ａの回転数が３５，０００ｒｐｍのときは、５８３Ｈｚの一回転周波数の騒音が発生し、回転数が２０，０００ｒｐｍのときは、３３３Ｈｚの一回転周波数の騒音が発生する。よって、この場合は、第一吸音材１１２Ａとして、５８３Ｈｚの周波数帯の音を良好に吸音できる吸音材を用い、第二吸音材１１２Ｂとして、３３３Ｈｚの周波数帯の音を良好に吸音できる吸音材を用いるのが好ましい。
【００５８】
ルーバー部５１０の各板状部材５１０ａの傾斜角度は、一回転周波数の騒音が、吸音材に向うような角度に設定している。ルーバー部５１０の各板状部材５１０ａの傾斜角度の設定は難しいが、この変形例では、図１４に示す断面図において、ポリゴンミラ−５３ａの回転中心位置Ｐ１から、一回転周波数の騒音が発生し、板状部材５１０ａの短手方向の中央部に入射すると仮定した。そして、板状部材５１０ａの短手方向の中央部で反射した一回転周波数の騒音が吸音材に向うように、各板状部材５１０ａの傾斜角度を設定した。このように設定することで、ルーバー部５１０の各板状部材５１０ａにより、一回転周波数の騒音を、吸音材に集音させることができる。すなわち、この変形例では、ルーバー部５１０の各板状部材５１０ａが、集音手段として機能を有している。なお、上記ポリゴンミラ−５３ａの回転中心位置Ｐ１は、ポリゴンミラー５３ａの回転軸中心Ｚ上であって、ポリゴンミラーの上下方向中央に対応する位置である。
【００５９】
また、図１４に示すように、この変形例では、集音させる吸音材に近い板状部材ほど、寝かせて、傾斜角度を小さくしている。このように構成することで、板状部材５１０ａを反射したポリゴンスキャナの騒音が、集音させる吸音材側に隣接する板状部材に当たるのを抑制することができる。その結果、板状部材５１０ａを反射したポリゴンスキャナの騒音が吸音材に集音されなくなるのを抑制することができる。
【００６０】
また、各板状部材５１０ａは、樹脂からなる上カバー５０３よりも音の反射率の高い金属材料で構成している。本変形例では、各板状部材５１０ａを、ＳＥＣＣ鋼板等の鉄鋼で構成した。各板状部材５１０ａを金属材料で構成することで、板状部材を透過する透過成分を少なくし、騒音の多くを、吸音材に向けて反射することができる。また、各板状部材５１０ａを、金属材料で構成することにより、板状部材の熱伝導性がよく、ポリゴンスキャナの熱を効率よく放熱することができる。
【００６１】
ポリゴンミラー５３ａの回転数が３５，０００ｒｐｍから、２０，０００ｒｐｍに変更された場合は、図１５に示すように、ルーバー部５１０の各板状部材５１０ａの傾斜角度を変更する。これにより、板状部材５１０ａを反射したポリゴンスキャナ５３の騒音を、第二吸音材１１２Ｂに集音させることができる。第二吸音材１１２Ｂは、上述したように、３３３Ｈｚの周波数帯の音を良好に吸音できる吸音材であり、ポリゴンミラー５３ａの回転数が２０，０００ｒｐｍのときに発生する一回転周波数の騒音を良好に吸音することができる。
【００６２】
図１６は、ルーバー部５１０の各板状部材５１０ａの傾斜角度を変更する傾斜角度変更機構の一例を示す図である。
図１６に示すように、各板状部材５１０ａに設けられた回転軸部１２４の一端には、それぞれ、出力ギヤ１２３が設けられており、これら出力ギヤ１２３は、ラックギヤ１２２と噛み合っている。また、ラックギヤ１２２には、ステッピングモータ１２１のモータギヤ１２１ａが噛み合っている。ステッピングモータ１２１には、制御部１３０が接続されており、ポリゴンミラー５３ａの回転数などのポリゴンスキャナ駆動情報に基づいて、ステッピングモータ１２１を制御する。
【００６３】
制御部１３０は、ポリゴンミラーの回転数が、３５，０００ｒｐｍから、２０，０００ｒｐｍに変更される情報を受信したら、ステッピングモータ１２１を図１６（ａ）に示すように、図中時計回りに回動させて、ラックギヤ１２２を図中左側へ移動させる。すると、各板状部材５１０ａの出力ギヤ１２３が、図中時計回りに回動し、各板状部材５１０ａが図中時計回りに回動する。
【００６４】
ステッピングモータ１２１のステップ数が規定のステップ数となったら、駆動を停止する。すると、図１６（ｂ）に示すように、各板状部材５１０ａの傾斜角度が、先の図１５に示した傾斜角度となり、各板状部材５１０ａで反射されたポリゴンスキャナの騒音が、第二吸音材１１２Ｂに集音する。
【００６５】
ポリゴンミラーの回転数が、２０，０００ｒｐｍから、３５，０００ｒｐｍに変更される情報を受信したら、ステッピングモータ１２１を図中反時計回りに回転駆動させ、ラックギヤ１２２を、図１６（ｂ）の状態から図中右側へと移動させる。これにより、各板状部材５１０ａが図中反時計回り回動して、先の図１６（ａ）に示す状態とする。
【００６６】
図１６では、ステッピングモータ１２１を用いて、ラックギヤ１２２を往復運動させているが、ソレノイドを用いて、ラックギヤ１２２を往復移動させてもよい。
【００６７】
また、図１７に示すように、各出力ギヤ１２３をアイドラギヤ１２５などにより連結して、各出力ギヤ１２３を回動するように構成してもよい。
【００６８】
また、各板状部材５１０ａを樹脂とし、射出成型などで成型されるモールド成型部材としてもよい。各板状部材５１０ａをモールド成型部材とすることで、各板状部材５１０ａを板金などの金属で構成する場合に比べて、安価に板状部材５１０ａを大量生産することができる。これにより、板状部材５１０ａのコストを下げることができ、装置のコストダウンを図ることができる。
【００６９】
また、図１８に示すように、各板状部材５１０ａの傾斜面に音の反射率の高い薄い板ガラス５１０ｂを両面テープまたは接着剤等で貼り付けた構成としてもよい。かかる構成とすることでも、ポリゴンスキャナ５３の騒音のうち、板状部材５１０ａを透過する成分を少なくすることができる。これにより、板状部材５１０ａに入射したポリゴンスキャナ５３の騒音のほとんどを、第一吸音材１１２Ａまたは第二吸音材１１２Ｂに集音することができる。
【００７０】
また、一面周波数である風切音が、大きな音且つ耳障りな音である場合は、この風切音を、吸音材に集音させ、ポリゴンスキャナ５３の騒音のうち風切音を吸音材で吸音するようにしてもよい。
【００７１】
図１９は、風切音を、各板状部材５１０ａで第一吸音材１１２Ａまたは第二吸音材１１２Ｂに集音させる構成を示す図である。
風切音は、上述したように、ポリゴンミラー５３ａの反射鏡に対して垂直方向に進む音であり、防音ガラス５０５や光学ハウジング５００の防音壁に向って伝播する。従って、この場合は、防音ガラス５０５や光学ハウジング５００の防音壁を傾斜させて、防音ガラス５０５や光学ハウジング５００の防音壁で反射した風切音を、各板状部材５１０ａに向うようにする。また、先の図５などに示したように、集音部材１０１をポリゴンスキャナ５３に設けて、風切音を各板状部材５１０ａに向うようにしてもよい。
【００７２】
第一吸音材１１２Ａとしては、ポリゴンミラー５３ａが３５，０００ｒｐｍで回転するときの風切音の周波数帯の音を良好に吸音できる吸音材が用いられている。第二吸音材１１２Ｂとしては、ポリゴンスキャナが２０，０００ｒｐｍで回転するときの風切音の周波数帯の音を良好に吸音できる吸音材が用いられている。上述したように、ポリゴンミラー５３ａが６面の場合、３５，０００ｒｐｍで回転するときの風切音の周波数は、３５００Ｈｚであり、２０，０００ｒｐｍで回転するときの風切音の周波数は、２０００Ｈｚである。
【００７３】
ポリゴンミラー５３ａの回転数が３５，０００ｒｐｍのとき、図１９に示すように、傾斜した光学ハウジング５００の防音壁や防音ガラス５０５で反射した風切音は、各板状部材５１０ａに向かう。板状部材５１０ａに向った風切音は、各板状部材５１０ａで反射して第一吸音材１１２Ａに集音され、第一吸音材１１２Ａにより吸音される。
【００７４】
一方、ポリゴンミラー５３ａの回転数が２０，０００ｒｐｍのときは、各板状部材５１０ａの傾斜角度が変更され、各板状部材５１０ａで反射した風切音は、第二吸音材１１２Ｂに集音され、第二吸音材１１２Ｂにより吸音される。これにより、ポリゴンスキャナ５３の風切音を効果的に抑制することができる。
【００７５】
この変形例の書込装置では、ポリゴンスキャナ５３の上方を開けているので、ポリゴンスキャナ５３から発生した熱を良好に装置外部へ逃がすことができ、ポリゴンスキャナ５３の格納空間が高温となるのを抑制することができる。また、ポリゴンスキャナ５３の上方を開けることで、ポリゴンスキャナ５３の騒音がその開口をとおって外部へ漏れ出す。しかし、漏れ出す音を、ルーバー部５１０の板状部材５１０ａで反射し、吸音材に集音することで、漏れ出す音を吸音材に吸音することができる。これにより、ポリゴンスキャナ５３の騒音を抑制することができる。
【００７６】
また、吸音周波数帯の互いに異なる複数の吸音材を設け、各板状部材５１０ａの傾斜角度を変更することにより、ポリゴンスキャナ５３の回転数により周波数が異なる騒音を、吸音することができる。これにより、ポリゴンスキャナ５３の回転数が変更されても、良好にポリゴンスキャナ５３の騒音を抑制することができる。また、塵や埃の進入を抑制するためのルーバー部５１０の各板状部材５１０ａを、ポリゴンスキャナ５３の騒音を吸音材に集音する集音手段として機能させることで、ルーバー部５１０とは別に集音部材を設ける構成に比べて、部品点数を削減することができ、装置のコストダウンを図ることができる。
【００７７】
また、上述では、風切音などの一面周波数の騒音や、一回転周波数の騒音を吸音材で吸音しているが、装置の構成によっては、一回転周波数や一面周波数の整数倍の周波数がピークとして現れる場合もある。この場合は、このピークとして現れる周波数の音を、良好に吸音できる吸音材を用いる。これにより、ポリゴンスキャナの騒音を効果的に抑制することができる。
【００７８】
以上に説明したものは一例であり、本発明は、以下の態様毎に特有の効果を奏する。
（態様１）
光源から発せられる光の進行方向を偏向するポリゴンスキャナ５３などの偏向手段と、偏向手段から発せられる騒音を吸音するヘルムホルツ吸音器１０２などの吸音手段とを備え、偏向手段で偏向せしめた光によって感光体などの走査対象を光走査する書込装置などの光走査装置において、偏向手段から発せられる騒音を、吸音手段に集音させる集音部材１０１などの集音手段を備えた。
（態様１）によれば、集音部材１０１などの集音手段を設けて、風切音１０３などの偏向手段から発せられる騒音を、ヘルムホルツ吸音器１０２などの吸音手段に集音させる。これにより、集音手段を有さない特許文献１に記載の光走査装置に比べて、ポリゴンスキャナ５３などの偏向手段から発せられる騒音を多く吸音手段に入射させることができる。よって、特許文献１に記載の光走査装置に比べて、吸音手段により偏向手段から発せられる騒音を効果的に抑制することができる。
【００７９】
（態様２）
（態様１）において、集音部材１０１などの集音手段は、ポリゴンスキャナ５３などの偏向手段から発せられた騒音を、ヘルムホルツ吸音器１０２などの吸音手段に向けて反射するように構成した。
これによれば、実施形態で説明したように、ポリゴンスキャナ５３などの偏向手段から発せられた騒音を、ヘルムホルツ吸音器１０２などの吸音手段に集音することができる。
【００８０】
（態様３）
（態様２）において、集音部材１０１などの集音手段の少なくとも騒音を反射する反射面１０１ｂを金属で構成した。
これによれば、実施形態で説明したように、樹脂に比べて音の反射率を高めることができ、ポリゴンスキャナの騒音のほとんどをヘルムホルツ吸音器１０２などの吸音手段へ反射させることができ、騒音を良好に抑制することができる。また、樹脂に比べて熱伝導性が高いため、ポリゴンスキャナなどの偏向手段から発した熱を、放熱することができ、偏向手段の温度上昇を抑制することができる。
【００８１】
（態様４）
（態様２）において、集音部材１０１などの集音手段の少なくとも騒音を反射する反射面をガラスで構成した。
これによれば、実施形態で説明したように、樹脂に比べて音の反射率を高めることができ、ポリゴンスキャナの騒音のほとんどをヘルムホルツ吸音器１０２などの吸音手段へ反射させることができ、騒音を良好に抑制することができる。また、集音手段全体を、ガラスで構成すれば、光源の光束を通過させるための切り欠きが不要となり、光源の光軸方向に伝播するポリゴンスキャナの騒音もヘルムホルツ吸音器１０２などの吸音手段に集音することができる。
【００８２】
（態様５）
（態様１）乃至（態様４）いずれかにおいて、集音手段をモールド成型部材とした。
これによれば、変形例で説明したように、板状部材５１０ａなどの集音手段を板金などの金属で構成する場合に比べて、安価に集音手段を大量生産することができる。これにより、集音手段のコストを下げることができ、装置のコストダウンを図ることができる。
【００８３】
（態様６）
（態様１）乃至（態様５）いずれかにおいて、集音部材１０１などの集音手段をポリゴンスキャナなどの偏向手段の反射鏡などの光反射面と対向させた。
これによれば、実施形態で説明したように、反射鏡などの光反射面に対して垂直方向に伝播する風切音を、集音部材１０１に入射させることができ、風切音を良好にヘルムホルツ吸音器１０２などの吸音手段に集音させることができる。
【００８４】
（態様７）
（態様６）において、集音部材１０１などの集音手段は、ポリゴンミラー５３ａなどの偏向手段の偏向鏡を取り囲むように設けられており、集音手段の前記偏向鏡と対向する対向面を曲面とした。
これによれば、実施形態で説明したように、集音部材１０１などの集音手段のポリゴンミラー５３ａなどの偏向鏡と対向する対向面に角部がない。よって、ポリゴンミラー５３ａなどの偏向鏡の回転により発生した気流が角部により乱されて乱流となるのを防止することができる。これにより、乱流によって生じる笛音などの二次的騒音が発生するのを抑制することができる。
【００８５】
（態様８）
（態様１）乃至（態様７）いずれかにおいて、吸音手段は、ポリゴンスキャナ５３などの偏向手段から発せられる騒音の周波数と同じ共振周波数で共鳴するための共鳴空間１０２ａ、及び前記共鳴空間１０２ａの外から中に騒音を導くために前記共鳴空間１０２ａに連通する共鳴通路１０２ｂを具備するヘルムホルツ吸音器１０２などの共鳴器である。
これによれば、実施形態で説明したように、樹脂の射出成型などのモールドで上カバー５０３と一体で成型することが可能となる。よって、吸音手段として、多孔質吸音材を用いた場合に比べて、部品点数を削減することができ、装置のコストダウンを図ることができる。また、吸音手段を取り付ける工程が無くなり、製造コストダウンを図ることができる。
【００８６】
（態様９）
（態様８）において、前記共鳴通路１０２ｂの入口を、外から中に断面積が徐々に減少するような形状とした。
これによれば、実施形態で説明したように、共鳴通路１０２ｂの入口で渦が発生するのを抑制することができ、共鳴通路１０２ｂの入口で乱流が生じるのを抑制することができる。これにより、乱流によって生じる笛音などの二次的騒音が発生するのを抑制することができる。
【００８７】
（態様１０）
（態様８）または（態様９）において、集音部材１０１などの集音手段は、ポリゴンスキャナ５３などの偏向手段から発せられる騒音を、前記共鳴通路１０２ｂの入口中央部に集音する。
これによれば、図１０を用いてで説明したように、ポリゴンスキャナ５３などの偏向手段から発せられる風切音などの騒音を、確実にヘルムホルツ吸音器１０２などの共鳴器に入射させることができ、効果的に偏向手段の騒音を抑制することができる。
【００８８】
（態様１１）
（態様１）乃至（態様７）いずれかにおいて、前記吸音手段は、多孔質状の吸音部材である。
これによれば、ポリゴンスキャナ５３などの偏向手段の騒音を効果的に吸音することができる。
【００８９】
（態様１２）
（態様１）乃至（態様１１）いずれかにおいて、吸音可能な周波数が互いに異なる複数の吸音材などの吸音手段を設け、集音手段（複数の板状部材５１０ａと、傾斜角度変更機構とで構成）は、ポリゴンスキャナ５３などの偏向手段の駆動状態に応じて、偏向手段から発せられる騒音を複数の吸音手段のいずれか１つに選択的に集音する。
これによれば、変形例で説明したように、ポリゴンミラーなどの偏向鏡の回転数が変更され、ポリゴンスキャナ５３などの偏向手段の騒音の周波数が変化した場合は、騒音を集音させる吸音材を変更することで、ポリゴンミラーなどの偏向鏡の回転数が変更されても、偏向手段の騒音を抑制することができる。
【００９０】
（態様１３）
（態様１２）において、ポリゴンスキャナ５３などの偏向手段を収納する光学ハウジング５００などの筐体と、前記偏向手段の上方にあり、前記偏向手段と対向する対向部に、前記偏向手段から発した熱を逃がす開口部を有し、前記筐体を覆うカバー部材（変形例では、上カバー５０３とポリゴンカバー５０４とで構成）とを備え、集音手段は、前記開口部に設けられ、上下方向に対して傾斜した板状部材５１０ａを有し、前記偏向手段の駆動状態に応じて、前記板状部材の傾斜角度を変更することにより、前記偏向手段の騒音が集音する吸音手段を変更する。
これによれば、変形例で説明したように、開口部からポリゴンスキャナ５３などの偏向手段から発した熱を逃がすので、偏向手段が高温となるのを抑制することができ、偏向手段の故障を抑制することができる。また、開口部を設けることで、偏向手段の騒音が開口部から漏れ出すおそれがある。しかし、態様１３では、開口部に設けられた板状部材５１０ａにより、開口部から漏れ出す音を吸音材などの吸音手段に集音させて、吸音手段に吸音させることで、偏向手段の騒音を効果的に抑制することができる。また、開口部に設けた板状部材５１０ａにより、外部から偏向手段格納空間に塵や埃が進入するのを抑制することができる。これにより、偏向手段のポリゴンミラー５３ａなどの偏向鏡に塵や埃が付着するのを抑制することができる。
さらに、板状部材の傾斜角度を変えることで、集音する吸着手段を変更することができる。これにより、ポリゴンミラーなどの偏向鏡の回転数が変更されても、偏向手段の騒音を抑制することができる。
【００９１】
（態様１４）
（態様１３）において、開口部に防塵部材５０６を設けた。
これによれば、変形例で説明したように、外部から偏向手段格納空間に塵や埃が進入するのを防止することができる。
【００９２】
（態様１５）
（態様１３）または（態様１４）において、前記板状部材を複数設け、騒音が集音している吸音材などの吸音手段側の板状部材のほど、寝かせた。
これによれば、変形例で説明したように、板状部材５１０ａを反射したポリゴンスキャナなどの偏向手段の騒音が、集音させる吸音材などの吸音手段側に隣接する板状部材５１０ａに当たるのを抑制することができ、板状部材５１０ａを反射した偏向手段の騒音が吸音手段に集音されなくなるのを抑制することができる。
【００９３】
（態様１６）
（態様１３）乃至（態様１５）いずれかにおいて、板状部材５１０ａを、上カバー５０３などのカバー部材よりも音の反射率の高い材質で構成した。
これによれば、変形例１で説明したように、板状部材５１０ａを、上カバー５０３と同じ材質で形成した場合に比べて、ポリゴンスキャナの騒音を、吸音材などの吸音手段へ反射させることができ、騒音を良好に抑制することができる。
【００９４】
（態様１７）
（態様１３）乃至（態様１６）いずれかにおいて、集音手段は、ポリゴンスキャナ５３などの偏向手段を取り囲むように設けられ、偏向手段から発せられる騒音を開口部に向けて反射する壁状部材（変形例では、防音ガラス５０５および光学ハウジングの防音壁で構成）を有する。
これによれば、図１９を用いて説明したように、ポリゴンミラー５３ａなどの偏向鏡の反射鏡などの光反射面に対して垂直方向に伝播する風切音などの騒音を、壁状部材により、開口部へ反射し、開口部に設けられた板状部材により、吸音材などの吸音手段に集音することができる。これにより、風切音を低減することができる。
【００９５】
（態様１８）
感光体と、光走査によって前記感光体に潜像を形成する光走査手段と、前記潜像を現像する現像装置４３などの現像手段とを備える画像形成装置において、光走査手段として、（態様１）乃至（態様１７）のいずれかの光走査装置を用いた。
これによれば、光走査手段の騒音を抑制することができ、画像形成装置の静音化を図ることができる。
【符号の説明】
【００９６】
５：書込装置
１０：プリンタ
４１：感光体
５２：光源
５３：ポリゴンスキャナ
５３ａ：ポリゴンミラー
５３ｂ：回路基板
５８：防塵ガラス
１０１：集音部材
１０１ｂ：反射面
１０２：ヘルムホルツ吸音器
１０２ａ：共鳴空間
１０２ｂ：共鳴通路
１０３：風切音
１０４：気流
１０６：入口
１１２Ａ：第一吸音材
１１２Ｂ：第二吸音材
１２１：ステッピングモータ
１２１ａ：モータギヤ
１２２：ラックギヤ
１２３：出力ギヤ
１２４：回転軸部
１２５：アイドラギヤ
１３０：制御部
５００：光学ハウジング
５０３：上カバー
５０３ａ：上壁部
５０４：ポリゴンカバー
５０５：防音ガラス
５０６：防塵部材
５１０：ルーバー部
５１０ａ：板状部材
５１０ｂ：板ガラス
Ｐ１：回転中心位置
Ｚ：回転軸中心
【先行技術文献】
【特許文献】
【００９７】
【特許文献１】特開平６−５１２２８号公報
【特許文献２】特開平７−１１０４５２号公報
【図１】
2016099465.tif 000003
【図２】
2016099465.tif 000004
【図３】
2016099465.tif 000005
【図４】
2016099465.tif 000006
【図５】
2016099465.tif 000007
【図６】
2016099465.tif 000008
【図７】
2016099465.tif 000009
【図８】
2016099465.tif 000010
【図９】
2016099465.tif 000011
【図１０】
2016099465.tif 000012
【図１１】
2016099465.tif 000013
【図１２】
2016099465.tif 000014
【図１３】
2016099465.tif 000015
【図１４】
2016099465.tif 000016
【図１５】
2016099465.tif 000017
【図１６】
2016099465.tif 000018
【図１７】
2016099465.tif 000019
【図１８】
2016099465.tif 000020
【図１９】
2016099465.tif 000021